(57)【要約】【課題】事業所の特定のエリアに設置されてある基地局に位置登録した端末に対してユーザが着信のオンオフの切り替え操作の設定を行わずに、端末への外線着信及び内線着信のオンオフが切り替えられるようにした事業所コードレスシステムを提供する。【解決手段】基地局３Ａ〜３Ｃと、ＰＨＳ端末機器４Ａ〜４Ｃと、主装置２と、ＰＨＳ端末機器４Ａ〜４Ｃ及び外線電話のうちの特別の通信相手端末の番号情報をＰＨＳ端末機器毎に記憶するデータベース１２とを備え、主装置２が、着呼時にその着信が特別着信又は通常着信であるかを判断して判断結果を基地局３Ａへ通知し、基地局３Ａは、判断結果が特別着信である場合、２つのＬＣＣＨを用いてこの着信先ＰＨＳ端末機器４Ａへの着信呼び出しを行うとともに、この判断結果が通常着信である場合、いずれか一方のＬＣＣＨを用いて着信先ＰＨＳ端末機器４Ａへの着信呼び出しを行う。【選択図】図１
2009239611.tif 000002
【特許請求の範囲】
【請求項１】
事業所内の複数のエリアにそれぞれ設けられて、２つのＬＣＣＨを送信する機能を有する複数の基地局と、
それぞれがこれらのエリアに位置し、各エリア内の基地局とＰＨＳ通信を行う機能と、ユーザの操作により前記２つのＬＣＣＨのうちのいずれかに待ち受け先を切り替える機能とを有する複数のＰＨＳ端末機器と、
これらのＰＨＳ端末機器の交換制御と位置情報を管理する機能及び外線交換機能を有する主装置と、
この主装置を介して前記複数のＰＨＳ端末機器からアクセスされて、これらのＰＨＳ端末機器及び外線電話のうちの特別の通信相手端末の番号情報をＰＨＳ端末機器毎に記憶するデータベースと、を備え、
このデータベースの前記特別の通信相手端末の番号情報に基づき、前記主装置が、着呼時にその着信がこの特別の通信相手端末からの特別着信であるか又は通常の通信相手端末からの通常着信であるかの判断を行い、この判断結果を着信先ＰＨＳ端末機器の位置するエリア内の基地局へ通知する機能を有し、
この基地局は、前記判断結果が特別着信である場合、前記２つのＬＣＣＨを用いてこの着信先ＰＨＳ端末機器への着信呼び出しを行うとともに、この判断結果が通常着信である場合、いずれか一方のＬＣＣＨを用いて前記着信先ＰＨＳ端末機器への着信呼び出しを行うことを特徴とする事業所コードレスシステム。
【請求項２】
それぞれが事業所内の各エリアに位置する複数のＰＨＳ端末機器の交換制御と位置情報を管理する機能及び外線交換機能を有する主装置が、これらのＰＨＳ端末機器及び外線電話のうちの特別の通信相手端末の番号情報をＰＨＳ端末機器毎に、データベースに登録するステップと、
いずれかのＰＨＳ端末機器が、このＰＨＳ端末機器が位置するエリア内に設けられた基地局から送信される２つのＬＣＣＨのうちの一方に待ち受けるステップと、
前記主装置が、このデータベースの前記特別の通信相手端末の番号情報に基づき、着呼時にその着信がこの特別の通信相手端末からの特別着信であるか又は通常の通信相手端末からの通常着信であるかの判断を行い、この判断結果を着信先ＰＨＳ端末機器の位置するエリア内の基地局へ通知するステップと、
この基地局が、この判断結果が特別着信である場合、前記２つのＬＣＣＨを用いてこの着信先ＰＨＳ端末機器への着信呼び出しを行うとともに、前記判断結果が通常着信である場合、いずれか一方のＬＣＣＨを用いて前記着信先ＰＨＳ端末機器への着信呼び出しを行うステップとを備えたことを特徴とする事業所コードレスシステムにおける着信選択方法。
【請求項３】
事業所内の複数のエリアと、これらのエリアにそれぞれ設けられた基地局とが対応付けられた基地局設置場所情報が登録されたデータベースを主装置からアクセス可能とするステップと、
この主装置が、前記複数のエリアのいずれかに位置するＰＨＳ端末機器への着信について、当該着信をこのＰＨＳ端末機器が無線接続される基地局へ通知するか又は通知しないかを、このデータベースの前記基地局設置場所情報を元に判断するステップとを備えたことを特徴とする事業所コードレスシステムにおける着信選択方法。
【請求項４】
それぞれ事業所内の各エリアに位置する複数のＰＨＳ端末装置のうちのいずれかと自営通信を行うとともに、２つのＬＣＣＨを送信する無線通信手段と、
これらのＰＨＳ端末機器の交換制御と位置情報を管理する機能及び外線交換機能を有する主装置からの着信があったときに、その着信が前記複数のＰＨＳ端末機器及び外線電話のうちの特別の通信相手端末からの特別着信であるか又は通常の通信相手端末からの通常着信であるかについての判断結果を含む呼設定をこの主装置から受信する主装置インターフェース手段と、
この判断結果に基づいて、一方のＬＣＣＨを用いて全ての着信をＰＣＨ情報として前記無線通信手段に送信させるとともに、他方のＬＣＣＨを用いて特別着信のみをＰＣＨ情報としてこの無線通信手段に送信させる通信制御手段とを備えたことを特徴とする事業所コードレスシステムに用いられる基地局。
【発明の詳細な説明】
【技術分野】
【０００１】
本発明は、事業所コードレスシステム及び事業所コードレスシステムにおける着信選択方法並びに事業所コードレスシステムに用いられる基地局に関する。
【背景技術】
【０００２】
従来、ユーザが会議中等の場合には、全ての着信を受け付けないように端末の電源を切るか、特定の人からの着信だけを受け付けたい時は端末をマナーモードにしておき、着信があった場合にどこからの着信かを番号表示で確認する必要がある。
【０００３】
発信者を特定する技術に関しては、通信回線を介して受信した着信呼と該着信呼に含まれる発信者番号情報とを無線信号により送信する送信手段を有する通信端末装置が知られている（例えば特許文献１参照）。
【０００４】
また、端末の電話帳でグループ登録してグループ毎に着信方法を変えるものもある。例えば携帯電話内のデータベースに電話番号のグループ分けをユーザが行う技術が提案されている（特許文献２参照）。特許文献２に記載の優先着信・着信拒否選択システムは、着信許可モードが許可グループに設定されているとき、着信拒否が登録されていても当該許可グループに登録されている電話番号からの着信は優先的に着信許可するように取り扱う。
【特許文献１】特開２００１−１５６９０６号公報
【特許文献２】特開２００５−１０１８１９号公報
【発明の開示】
【発明が解決しようとする課題】
【０００５】
しかしながら、上述した従来技術では、端末側での切り替え操作が必要である。
【０００６】
そこで、本発明は、上記の課題に鑑み、事業所の特定のエリアに設置されてある基地局に位置登録した端末に対してユーザが着信のオンオフの切り替え操作の設定を行わずに、端末への外線着信及び内線着信のオンオフが切り替えられるようにした事業所コードレスシステム及び事業所コードレスシステムにおける着信選択方法並びに事業所コードレスシステムに用いられる基地局を提供することを目的とする。
【０００７】
また、特定エリア以外の場所にいる場合も、端末において基地局が送信する２つのＬＣＣＨのうち、いずれかに待ち受けための切り替え機能で簡単に着信選択ができるシステムを提供することを目的とする。
【課題を解決するための手段】
【０００８】
このような課題を解決するため、本発明の請求項１によれば、事業所内の複数のエリアにそれぞれ設けられて、２つのＬＣＣＨを送信する機能を有する複数の基地局と、それぞれがこれらのエリアに位置し、各エリア内の基地局とＰＨＳ通信を行う機能と、ユーザの操作により前記２つのＬＣＣＨのうちのいずれかに待ち受け先を切り替える機能とを有する複数のＰＨＳ端末機器と、これらのＰＨＳ端末機器の交換制御と位置情報を管理する機能及び外線交換機能を有する主装置と、この主装置を介して前記複数のＰＨＳ端末機器からアクセスされて、これらのＰＨＳ端末機器及び外線電話のうちの特別の通信相手端末の番号情報をＰＨＳ端末機器毎に記憶するデータベースと、を備え、このデータベースの前記特別の通信相手端末の番号情報に基づき、前記主装置が、着呼時にその着信がこの特別の通信相手端末からの特別着信であるか又は通常の通信相手端末からの通常着信であるかの判断を行い、この判断結果を着信先ＰＨＳ端末機器の位置するエリア内の基地局へ通知する機能を有し、この基地局は、前記判断結果が特別着信である場合、前記２つのＬＣＣＨを用いてこの着信先ＰＨＳ端末機器への着信呼び出しを行うとともに、この判断結果が通常着信である場合、いずれか一方のＬＣＣＨを用いて前記着信先ＰＨＳ端末機器への着信呼び出しを行うことを特徴とする事業所コードレスシステムが提供される。
【０００９】
また、本発明の請求項２によれば、それぞれが事業所内の各エリアに位置する複数のＰＨＳ端末機器の交換制御と位置情報を管理する機能及び外線交換機能を有する主装置が、これらのＰＨＳ端末機器及び外線電話のうちの特別の通信相手端末の番号情報をＰＨＳ端末機器毎に、データベースに登録するステップと、いずれかのＰＨＳ端末機器が、このＰＨＳ端末機器が位置するエリア内に設けられた基地局から送信される２つのＬＣＣＨのうちの一方に待ち受けるステップと、前記主装置が、このデータベースの前記特別の通信相手端末の番号情報に基づき、着呼時にその着信がこの特別の通信相手端末からの特別着信であるか又は通常の通信相手端末からの通常着信であるかの判断を行い、この判断結果を着信先ＰＨＳ端末機器の位置するエリア内の基地局へ通知するステップと、この基地局が、この判断結果が特別着信である場合、前記２つのＬＣＣＨを用いてこの着信先ＰＨＳ端末機器への着信呼び出しを行うとともに、前記判断結果が通常着信である場合、いずれか一方のＬＣＣＨを用いて前記着信先ＰＨＳ端末機器への着信呼び出しを行うステップとを備えたことを特徴とする事業所コードレスシステムにおける着信選択方法が提供される。
【００１０】
また、本発明の請求項３によれば、事業所内の複数のエリアと、これらのエリアにそれぞれ設けられた基地局とが対応付けられた基地局設置場所情報が登録されたデータベースを主装置からアクセス可能とするステップと、この主装置が、前記複数のエリアのいずれかに位置するＰＨＳ端末機器への着信について、当該着信をこのＰＨＳ端末機器が無線接続される基地局へ通知するか又は通知しないかを、このデータベースの前記基地局設置場所情報を元に判断するステップとを備えたことを特徴とする事業所コードレスシステムにおける着信選択方法が提供される。
【００１１】
また、本発明の請求項４によれば、それぞれ事業所内の各エリアに位置する複数のＰＨＳ端末装置のうちのいずれかと自営通信を行うとともに、２つのＬＣＣＨを送信する無線通信手段と、これらのＰＨＳ端末機器の交換制御と位置情報を管理する機能及び外線交換機能を有する主装置からの着呼があったときに、その着信が前記複数のＰＨＳ端末機器及び外線電話のうちの特別の通信相手端末からの特別着信であるか又は通常の通信相手端末からの通常着信であるかについての判断結果を含む呼設定をこの主装置から受信する主装置インターフェース手段と、この判断結果に基づいて、一方のＬＣＣＨを用いて全ての着信をＰＣＨ情報として前記無線通信手段に送信させるとともに、他方のＬＣＣＨを用いて特別着信のみをＰＣＨ情報としてこの無線通信手段に送信させる通信制御手段とを備えたことを特徴とする事業所コードレスシステムに用いられる基地局が提供される。
【発明の効果】
【００１２】
本発明によれば、事業所の特定のエリアに設置されてある基地局に位置登録した端末に対してユーザが着信のオンオフの切り替え操作の設定を行わずに、端末への外線着信及び内線着信のオンオフが切り替えられるようになる。
【発明を実施するための最良の形態】
【００１３】
以下、本発明の実施の形態に係る事業所コードレスシステム及び事業所コードレスシステムにおける着信選択方法並びに事業所コードレスシステムに用いられる基地局について、図１乃至図５を参照しながら説明する。尚、各図において同一箇所については同一の符号を付すとともに、重複した説明は省略する。
【００１４】
本発明の一実施形態に係る事業所コードレスシステムは、それぞれ事業所内の各所に設置された複数の基地局と、それぞれがこれらの基地局と無線接続される複数のＰＨＳ端末機器（以下、端末機器と呼ぶ。）と、これらの基地局及び公衆網を収容し外線交換機能を有するとともにこれらの端末機器を管理し内線交換を行う主装置とを備えている。
【００１５】
基地局は、会議室、事務室及び実験室などのエリアに設置されている。端末機器は例えば部屋の中を一つのカバーエリアとする状況下で接続相手の基地局と自営通信を行う。主装置は複数の基地局についてこれらの基地局と無線接続される１台以上の端末機器を管理している。
【００１６】
１台の基地局に内線登録されている端末機器はいずれもこの基地局に内線登録されている他の端末機器との間で、同じ基地局を介して自営通信を行う。同じ１台の基地局に内線登録されている端末機器はいずれもこの基地局と異なる他の基地局に内線登録されている端末機器との間で通信する場合、接続先の基地局、主装置及び他の基地局を介して通信相手と自営通信を行う。いずれの端末機器も外線電話から個別に着呼があった場合、この基地局及び主装置を介して外線電話と通話を行う。
【００１７】
図１は事業所コードレスシステム１の全体構成を示す図である。事業所コードレスシステム１は、主装置２と、基地局３Ａ、３Ｂ、３Ｃと、端末機器４Ａ、４Ｂ、４Ｃと、データベース１２とを備えている。これらの基地局３Ａ〜３Ｃは有線５を介して主装置２との間でデータを送受可能になっている。
【００１８】
データベース１２には、端末機器４Ａ〜４Ｃ毎に、例えば顧客の電話番号など特別の通信相手の端末（以下、特別端末と呼ぶ。）の電話番号が主装置２によって予め登録されている。各ユーザが端末操作を行うことによって特別端末が指定されて、その電話番号の登録が行われるようにされている。
【００１９】
基地局３Ａは、端末装置４Ａと自営通信を行い２つのＬＣＣＨを送信する図示しない無線通信手段と、主装置２からの着呼があったときに、その着信が特別着信又は通常着信であるかについての判断結果を含む呼設定メッセージをこの主装置２から受信する図示しない主装置インターフェース手段と、この判断結果に基づいて、一方のＬＣＣＨを用いて全ての着信（特別着信及び通常着信）をＰＣＨ情報として無線通信手段に送信させるとともに、他方のＬＣＣＨを用いて特別着信のみをＰＣＨ情報としてこの無線通信手段に送信させる図示しない通信制御手段とを備えている。基地局３Ｂ及び３Ｃの構成も基地局３Ａの構成と同じである。
【００２０】
これにより、会議室６に設置された基地局３Ａは間欠的にＬＣＣＨ（論理制御チャネル）を無線送信する。自営モードでは、基地局３Ａは、２つのＬＣＣＨを、周波数の異なる２本の無線周波数を用いて、送出タイミングをずらして送信することを規格上許されている。会議室６のカバーエリアに位置する端末機器４Ａは、無線通信手段によりこの会議室６の基地局３Ａからの２つのＬＣＣＨのいずれも受信し、通信制御手段により受信周波数を切り替えることによって待ち受けするＬＣＣＨを切り替えるようにされている。
【００２１】
同様に、事務室７に設置された基地局３Ｂは、２つのＬＣＣＨを送信しており、事務室７のカバーエリア内の端末機器４Ｂは、この基地局３Ｂからの２つのＬＣＣＨのいずれも受信でき、待ち受けするＬＣＣＨを切り替え可能にされている。実験室８に設置された基地局３Ｃも、２つのＬＣＣＨを送信しており、実験室８のカバーエリア内の端末機器４Ｃは、この基地局３Ｃからの２つのＬＣＣＨのいずれも受信でき、待ち受けするＬＣＣＨを切り替え可能にされている。
【００２２】
主装置２は、回線９を介して公衆網１０に接続されており、この公衆網１０を介して外線電話１１Ａ、１１Ｂからの着信呼を端末機器４Ａ〜４Ｃに個別に着信させるようにしている。データベース１２には予め、外線電話１１Ａ、１１Ｂの電話番号と、端末機器４Ａ〜４Ｃの内線番号とがユーザ端末から登録されてある。データベース１２には、端末機器４Ａ〜４Ｃについて、それぞれ特別端末の外線電話番号あるいは内線番号が情報として記憶されている。
【００２３】
この事業所コードレスシステム１では、主装置２がデータベース１２にアクセス可能にされており、端末機器４Ａ〜４Ｃのいずれかへ着信があったときに、主装置２が、特別端末と、特別端末以外の通常の通信相手の端末（以下、通常端末と呼ぶ。）のいずれかであるかを判断するようにしている。
【００２４】
図２は主装置２の概略的な機能ブロック図である。主装置２は、有線５を介して基地局３Ａ〜３Ｃを収容しこれらの基地局３Ａ〜３Ｃとのインターフェース処理を行う基地局側インターフェース部１３と、回線９を介して図示しない交換機と接続されてこの交換機とのインターフェース処理を行う交換機側インターフェース部１４と、これらの基地局側インターフェース部１３及び交換機側インターフェース部１４からの呼の転送などの制御や端末機器４Ａ〜４Ｃの位置情報を管理する機能を有する制御部１５とを備えている。
【００２５】
基地局側インターフェース部１３は、端末機器４Ａ〜４Ｃから外線相手通話先への外線発信要求を処理するとともにこれらの端末機器４Ａ〜４Ｃの間の自営通信時での発着呼を処理する。交換機側インターフェース部１４は、外線発信要求に応じて指定された相手先電話番号へ外線発信を行うとともに、所定のタイミングでその外線発信呼といずれかの基地局３Ａ〜３Ｃとの間の通話パスを生成する。
【００２６】
制御部１５は、図示しない記憶部を有し、端末機器４Ａ〜４Ｃと、これらの端末機器４Ａ〜４Ｃの接続先の基地局３Ａ〜３Ｃとの対応関係をこの記憶部に書き込むことにより端末機器４Ａ〜４Ｃの位置情報を管理する。制御部１５は、この対応関係に基づき端末機器４Ａ〜４Ｃに対して個別に外線着信呼を転送する機能を有する。また、制御部１５は、端末機器４Ａ〜４Ｃと、これらに割り当てられた内線番号とを対応付けて記憶部に書き込むようにしている。制御部１５がこれらの内線番号を読み出すことによって、制御部１５は端末機器４Ａ〜４Ｃを内線加入者として管理できるようになっている。
【００２７】
制御部１５は、外線着信及び内線着信を含む全ての着信のうち特別の通信相手からの着信（以下、特別着信と呼ぶ。）と、この特別着信以外の着信（以下、通常着信と呼ぶ。）とについて、これらの通信相手からの着呼時にデータベース１２を検索するようにしている。制御部１５は、このデータベース１２の検索により、全ての着信呼について、その着信が通常着信であるか、あるいは特別着信であるかを判断するようになっている。
【００２８】
本実施形態に係る事業所コードレスシステム１では、基地局３Ａ〜３Ｃが主装置２からこの判断の結果を通知される。基地局３Ａ〜３Ｃは、この判断の結果が特別着信である場合、２つのＬＣＣＨを用いて着信先ＰＨＳ端末機器への着信呼び出しを行い、判断結果が通常着信である場合、いずれか一方のＬＣＣＨを用いて着信先ＰＨＳ端末機器への着信呼び出しを行うようにしている。
【００２９】
図３はデータベース１２に登録される情報の一例を示す図である。データベース１２は、各端末機器４Ａ〜４Ｃについて、特別端末の情報と、通常端末の情報とを記憶している。これらの特別端末及び通常端末の情報として、外線電話１１Ａ、１１Ｂの電話番号や、端末機器４Ａ〜４Ｃの内線番号がデータベース１２に書き込まれる。これらの電話番号及び内線番号の書き込みタイミングは、ユーザが所望するいずれの時である。ユーザ操作により端末機器４Ａ〜４Ｃから主装置２へ書き込み要求が送信されて、この書き込み要求を制御部１５が受信したときに、制御部１５がデータベース１２へ電話番号を登録する。この書き込み登録は複数回に亘って行うようにもできる。
【００３０】
また、内線通信では、端末機器４Ａ〜４Ｃのそれぞれがいずれか他の端末機器へ発呼した場合、他の端末機器への着呼が生じるため、内線発信があると主装置２によりデータベース１２は検索される。端末機器４Ａ〜４Ｃのいずれかに外線着信があったときも、主装置２はデータベース１２を検索する。主装置２に対して外線着信及び内線発信があったときに、これらの着信の処理を行うタイミングで、制御部１５はデータベース１２を検索する。制御部１５は、基地局へ通知するときに、特別着信あるいは通常着信などと通知し分けるようにしている。
【００３１】
また、データベース１２の機能は記憶装置により実現される。制御部１５、基地局側インターフェース部１３、及び交換機側インターフェース部１４の機能はいずれもＣＰＵ、ＲＯＭ、ＲＡＭにより実現される。一例として、これらの制御部１５、基地局側インターフェース部１３、及び交換機側インターフェース部１４は、ＣＰＵ、ＲＯＭ、ＲＡＭなどを搭載されたカード状の回路基板からなる。内線収容数や外線収容数に応じてこの回路基板の枚数は増設可能にされている。主装置２は、箱状の筐体を装置架として有し、この装置架内に、給電回路と、所望の枚数のカード状の回路基板と、これらのカード状の回路基板上に取り付けられ、有線５や回線９に接続されたポートやコネクタとが設けられている。データベース１２は装置架の内部に設けて主装置２と一体的に形成されてもよい。
【００３２】
このような構成の事業所コードレスシステム１における着信選択方法を説明する。図１中４Ａ〜４Ｃは端末、３Ａ〜３Ｃは基地局、２は主装置、１２はデータベース、１０は公衆網、１１Ａ、１１Ｂは外線電話である。４Ａ〜４Ｃの端末は、特別端末の相手番号を主装置２に接続されたデータベース１２に登録する機能を有する。また、３Ａ〜３Ｃの基地局が送信する２つの論理制御チャネルのどちらに待ち受けるかを選択する機能を端末機器４Ａ〜４Ｃは有する。
【００３３】
基地局３Ａ〜３Ｃはそれぞれ２つの論理制御チャネル（ＬＣＣＨ１、２）を送信する機能を有しており、主装置２から呼設定（着信）を受信した時に、２つのＬＣＣＨ１、２のうちの一方のＬＣＣＨ１を全て（通常及び特別）の着信用、もう一方のＬＣＣＨ２を特別のみの着信用として使用する。
【００３４】
主装置２は、データベース１２をもち、端末機器４Ａ〜４Ｃからの発呼時及び外線電話１１Ａ、１１Ｂからの着呼時にこのデータベース１２を検索して呼が通常着信か特別着信かを判断し、基地局３Ａ〜３Ｃに呼設定（着信）を送信する。尚、データベース１２にない相手からの着信は通常着信とする。
【００３５】
データベース１２には、端末への着信の発信元となる通信相手端末の情報が端末毎に登録されている。例えば図３に示したような情報が登録されている。端末機器４Ａの情報は、端末機器４Ｂから端末機器４Ａへの着信、及び外線電話１１Ｂから端末機器４Ａへの着信を通常着信とし、端末機器４Ｃから端末機器４Ａへの着信、及び外線電話１１Ａから端末機器４Ａへの着信を特別着信とする内容である。
【００３６】
端末機器４Ｂの情報は、端末機器４Ａから端末機器４Ｂへの着信、及び端末機器４Ｃから端末機器４Ｂへの着信を通常着信とし、外線電話１１Ａから端末機器４Ｂへの着信、及び外線電話１１Ｂから端末機器４Ｂへの着信を特別着信とする旨である。
【００３７】
端末機器４Ｃの情報は、端末機器４Ｂから端末機器４Ｃへの着信、及び外線電話１１Ａから端末機器４Ｃへの着信を通常着信とし、端末機器４Ａから端末機器４Ｃへの着信、及び外線電話Ｂから端末機器４Ｃへの着信を特別着信とする内容である。
【００３８】
図４は２つのＬＣＣＨに待ち受けを行う端末機器４Ａの処理動作のシーケンスを示す図である。基地局３ＡはＬＣＣＨ１上でＢＣＣＨ（報知チャネル）、ＰＣＨ（一斉呼び出しチャネル）及びＳＣＣＨ（個別セル用チャネル）を所定の順序で周期的に繰り返し送信している。基地局３ＡはＬＣＣＨ２上でＬＣＣＨ１上のこれらと送出タイミングをずらして、ＢＣＣＨ、ＰＣＨ及びＳＣＣＨを、周期的に繰り返し送信している。
【００３９】
基地局３Ａが２つのＬＣＣＨ１及び２を送出している時、端末機器４ＡはＳｅｑ２００でまずＬＣＣＨ１を待ち受け先とする処理を行う。この端末機器４Ａは全ての着信を受け付ける状態となる。
【００４０】
この時、ＬＣＣＨ１上で基地局３Ａは通常着信及び特別着信の両方のＰＣＨを送信し、ＬＣＣＨ２上では特別着信のＰＣＨのみを送信する。
【００４１】
Ｓｅｑ２０１でユーザ操作によって端末機器４Ａが待ち受けモードの切り替えを行うと、端末機器４ＡはＳｅｑ２０２で待ち受け先をＬＣＣＨ２に変更する。端末機器４Ａは特別着信のみを受け付ける状態となる。
【００４２】
端末機器４Ａが待ち受けモードを切り替えることによって、基地局３Ａが送信する待ち受け先のＬＣＣＨは切り替え可能になっている。
【００４３】
端末機器４Ａには、待ち受けモードを切り替える待ち受けモード切替ボタンが設けられており、この待ち受けモードの切り替えは、例えば、待ち受けモード切替ボタンを押下するといった簡単な操作で切り替え可能となるようにしておく。
【００４４】
また、端末機器４Ｂの処理動作のシーケンスと、端末機器４Ｃの処理動作のシーケンスとは、端末機器４Ａの処理動作のシーケンスと同じである。
【００４５】
図５に、端末機器４Ａのユーザが会議中などの時に特別な相手からの着信のみを受信したい場合における端末機器４Ａ、基地局３Ａ及び主装置２の各処理動作のシーケンスを示す。図５中、端末Ａ、端末Ｂ及び端末Ｃはそれぞれ端末機器４Ａ、端末機器４Ｂ及び端末機器４Ｃを表す。基地局Ａ、基地局Ｂ及び基地局Ｃはそれぞれ基地局３Ａ、基地局３Ｂ及び基地局３Ｃを表す。
【００４６】
端末機器４ＡはＳｅｑ３００ではＬＣＣＨ１に待ち受けており、この端末機器４Ａに対する全ての着信を受け付けている状態にある。ユーザが会議を行うために端末操作を行うと端末機器４ＡはＳｅｑ３０１で待ち受けモードの切り替えを行い、Ｓｅｑ３０２で待ち受け先をＬＣＣＨ１からＬＣＣＨ２に変更する。
【００４７】
この時、端末機器４Ａは、この端末機器４Ａへの着信の発信元となる通信相手端末の情報を予め主装置２に登録し、特別着信の通信相手端末をデータベース１２に設定しておく。例えば、端末機器４Ｂから端末機器４Ａへの着信と、外線電話１１Ｂから端末機器４Ａへの着信とは通常着信とし、端末機器４Ｃから端末機器４Ａへの着信と、外線電話１１Ａから端末機器４Ａへの着信とは特別着信というような内容がデータベース１２に設定される。
【００４８】
今、端末機器４Ａは基地局３Ａ、端末機器４Ｂは基地局３Ｂ、端末機器４Ｃは基地局３Ｃにそれぞれ待ち受けているとすると、端末機器４Ｂから端末機器４Ａに発呼があると、基地局３Ｂを経由して主装置２に呼設定データ（Ｂ→Ａ）が届く。
【００４９】
主装置２はＳｅｑ３０３でデータベース１２から、端末機器４Ａについての発信元端末の設定情報を検索する。主装置２は、端末機器４Ａへの着信の発信元端末が特別着信や通常着信として登録されているか否かを検索する。検索の結果、主装置２は端末機器４Ｂが登録されていると判断すると、端末機器４Ｂは通常着信と設定された端末であることを認識し、主装置２は基地局３Ａに呼設定データ（Ｂ→Ａ、通常）を応答として送る。
【００５０】
基地局３Ａがそのデータを受け取るとＳｅｑ３０４で、この呼設定データ（Ｂ→Ａ、通常）により、端末機器４Ｂから端末機器４Ａへの発呼が通常着信であることを判断する。通常着信には、２本のＬＣＣＨ１、２のうちのＬＣＣＨ１が用いられることから基地局３ＡはＬＣＣＨ１でＰＣＨを送信し、端末機器４Ａの呼び出しを行う。
【００５１】
この場合、端末機器４ＡはＬＣＣＨ２に待ち受けているのでＬＣＣＨ１を受信できない。端末機器４ＡはＬＣＣＨ１のＰＣＨを受信できないため、端末機器４Ｂからの着信を受け付けることはない。
【００５２】
次に端末機器４Ｃから端末機器４Ａに発呼があると、基地局３Ｃを経由して主装置２に呼設定データ（Ｃ→Ａ）が届く。
【００５３】
主装置２はＳｅｑ３０５でデータベース１２から、端末機器４Ａについての発信元端末の設定情報を検索する。端末機器４Ａへの着信の発信元端末が特別着信や通常着信として登録されているか否かを検索する。その結果、主装置２は端末機器４Ｃが特別着信と設定された端末であることを認識し、主装置２は基地局３Ａに呼設定データ（Ｃ→Ａ、特別）を送る。
【００５４】
基地局３Ａがそのデータを受け取るとＳｅｑ３０６で、呼設定データ（Ｃ→Ａ、特別）により、端末機器４Ｃから端末機器４Ａへの発呼が特別着信であることを判断する。特別着信にはＬＣＣＨ１及び２の両方が用いられることから基地局３ＡはＬＣＣＨ１でＰＣＨを送信し、且つＬＣＣＨ２でＰＣＨを送信し、端末Ａの呼び出しを行う。
【００５５】
この場合、端末機器４ＡはＬＣＣＨ２に待ち受けているので、ＬＣＣＨ１のＰＣＨを受信できないが、ＬＣＣＨ２のＰＣＨを受信できるため、端末機器４Ａは、Ｓｅｑ３０７で端末機器４Ｃからの着信を受け付けることができる。端末機器４Ａが普通の待ち受けモードの状態であったとしても、両方のＬＣＣＨ１、２を用いてこの着信が特別であることが基地局３Ａへ伝えられるため、端末機器４Ａは必ず特別着信を受け付けることができるようになる。
【００５６】
従って、会議室６に設置されてある基地局３Ａに位置登録した端末機器４Ａに対してユーザが着信のオンオフの切り替え操作の設定を行わずに、端末機器４Ａへの外線着信及び内線着信のオンオフが切り替えられるようになる。
【００５７】
また、端末機器４Ｂのユーザが特定相手からの着信のみを受信する場合の端末機器４Ｂ、基地局３Ｂ及び主装置２の各処理動作のシーケンスは、端末機器４Ａ、基地局３Ａ及び主装置２の各処理動作のシーケンスと同じである。端末機器４Ｃのユーザが特定相手からの着信のみを受信する場合の端末機器４Ｃ、基地局３Ｃ及び主装置２の各処理動作のシーケンスも、端末機器４Ａ、基地局３Ａ及び主装置２の各処理動作のシーケンスと同じである。
【００５８】
このようにして、各ユーザは、会議室に入退出する度に逐一、端末機器４Ａ、４Ｂ及び４Ｃの設定操作を行うことなく、それぞれ特定の相手からの着信だけを受け付けることができるようになる。端末機器４Ａ〜４Ｃは、これらの端末機器４Ａ〜４Ｃへの着信の発信元の複数の端末のうち、所望の端末からの着信だけを選択して受け付けることができるようになる。
【００５９】
従来、端末側が端末内のデータベースに発信元のアドレスを定義することにより、着信相手の選別を行うようにしているが、事業所コードレスシステム１は、着信選択機能を基地局３Ａ〜３Ｃに持たせることによって、電波の送り手側である基地局３Ａ〜３Ｃ及び主装置２が協働して着信相手の選択を行えるようになる。
【００６０】
また、ユーザが多忙で特別の相手からの着信だけしか受け付けたくないという場合、あるいは、会議中で特別の相手からの着信だけしか受け付けたくないという場合、あるいは、普通の状態、つまりどんな相手からの着信でも受け付ける状態である場合などにおいて、ユーザは端末機器を設定し直すといった煩わしい操作を行わずに着信の選択を行えるようになる。
【００６１】
（変形例）
上記実施例の変形例として、本発明の一実施形態の変形例に係る事業所コードレスシステムは、基地局の設置場所情報（基地局３Ａ：会議室、基地局３Ｂ：事務室、基地局３Ｃ：実験室）を主装置２のデータベース１２に登録しておき、会議室６にある基地局３Ａに位置登録した端末装置４Ａに対する着信については、主装置２が特別着信の情報のみを基地局３Ａに通知する。
【００６２】
このようにすることにより、会議室６においては、端末装置４Ａ側でユーザ操作による待ち受けモードの切り替えをしなくても特定の人からの着信だけを受け付けることが可能となる。事務室７の端末装置４Ｂや実験室８の端末装置４Ｃについても同様である。
【００６３】
この変形例に係る事業所コードレスシステムによれば、会議中などの場合、待ち受けモードを切り替えなくても特定の人からの着信だけを受け付けることが可能となる。例えば会議室６内の端末機器４Ａへは通常着信の呼が着呼されなくなるので、端末機器４Ａが何ら切り替え操作を行わなくても、端末機器４Ａは特別着信しか受け付けないようにすることができる。
【００６４】
従来、端末の電話帳を用いて発信元端末をグループ登録しておきグループ毎に着信方法を変える手法が知られている。この変形例に係る事業所コードレスシステム１は、主装置２が、データベース１２に登録されている設置場所情報を元に会議室６に設置してある基地局３Ａへは特別着信のみを通知するようにしておくため、端末機器４Ａ〜４Ｃでの発信元相手端末の情報を切り替える操作が不要となる。切り替え操作が不要となる点で、この事業所コードレスシステム１は切り替え操作を必要とする従来技術とは異なる。
【００６５】
尚、本発明は上記実施形態そのままに限定されるものではなく、実施段階ではその要旨を逸脱しない範囲で構成要素を変形して具体化できる。本発明の実施の形態に係る事業所コードレスシステムは、４台以上の基地局を設けることができる。
【００６６】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６７】
【図１】本発明の一実施形態に係る事業所コードレスシステムの全体構成を示す図である。
【図２】主装置の概略的な機能ブロック図である。
【図３】データベースに登録される情報の一例を示す図である。
【図４】２つのＬＣＣＨに待ち受けを行う端末機器の処理動作のシーケンスを示す図である。
【図５】本発明の一実施形態に係るＰＨＳ端末機器、基地局及び主装置の各処理動作のシーケンスの一例を示す図である。
【符号の説明】
【００６８】
１…事業所コードレスシステム、２…主装置、３Ａ，３Ｂ，３Ｃ…基地局、４Ａ，４Ｂ，４Ｃ…端末機器（ＰＨＳ端末機器）、５…有線、６…会議室、７…事務室、８…実験室、９…回線、１０…公衆網、１１Ａ，１１Ｂ…外線電話、１２…データベース、１３…基地局側インターフェース部、１４…交換機側インターフェース部、１５…制御部。
【図１】
2009239611.tif 000003
【図２】
2009239611.tif 000004
【図３】
2009239611.tif 000005
【図４】
2009239611.tif 000006
【図５】
2009239611.tif 000007